(57)【要約】【課題】  ２つの摺接面５１、５２を備えたスライドプレート４５を取付ボルトを用いずに保持するようにするとともに、隙間調整用のシム６３、６４の抜け出すことの無いスライドプレート取付構造を提供する。【解決手段】  リテイナー４４の接合面５７、５８からスライドプレート４５側に向けて上下方向及び左右方向にシム保持用ピン６１、６２を立設し、前記上下方向シム６３及び左右方向シム６４の対応位置には前記シム保持用ピンとの係合穴６５、６６を設けると共に、前記スライドプレート４５には前記シム保持用ピンを回避する穴５５及び切欠き５６を設けた。【選択図】        図６
2005212922.tif 000002
【特許請求の範囲】
【請求項１】
外側ブームに内側ブームを順次伸縮可能に嵌挿した伸縮ブームの内側ブーム基端上部両側にそれぞれ配置され、外側ブーム内側の上面及び側面との縦長の摺接面を有する四角柱形状からなる一対のスライドプレートと、
前記スライドプレートの摺接面を除く面との接合面を備え、スライドプレート摺接面方向への開口部を有する箱型形状からなり、前記内側ブーム基端上部両側にそれぞれ取付けられた一対のリテイナーと、
前記スライドプレートとリテイナーの接合面に挿入可能とされた上下方向シム及び左右方向シムと、を備え、
前記上下方向シム及び左右方向シムを適宜必要枚数挿入することにより外側ブーム内側の上面及び側面と対応するスライドプレート摺接面との隙間調整を行うよう構成した伸縮ブームのスライドプレート取付構造において、
前記リテイナーの接合面からスライドプレート側に向けて上下方向及び左右方向にシム保持用ピンを立設し、前記上下方向シム及び左右方向シムの対応位置には前記シム保持用ピンとの係合穴を設けると共に、前記スライドプレートには前記シム保持用ピンを回避する穴及び切欠きを設けたことを特徴とする伸縮ブームのスライドプレート取付構造。
【請求項２】
前記スライドプレートは、前記伸縮ブームに取付けられた時の伸縮ブーム長手方向に直交する断面が略長方形状であることを特徴とする請求項１記載の伸縮ブームのスライドプレート取付構造。
【発明の詳細な説明】
【技術分野】
【０００１】
本願発明は、高所作業車あるいは移動式クレーンに用いられる伸縮ブームの、内側ブーム基端上部のスライドプレート取付構造に関するものである。
【背景技術】
【０００２】
図７は第１の背景技術として、従来より知られている伸縮ブームの該当部位のスライドプレート取付構造を説明する図である。図７は、高所作業車又は移動式クレーンの伸縮ブーム１０の基端部内部を側方から見たものである
外側ブーム１１に内側ブーム１２が伸縮可能に嵌挿されており、内側ブーム基端上部にはスライドプレート１３が配置されている。図８は図７のＡ矢視断面図である。スライドプレート１３は左右に一対配置されており、内側ブーム基端上部両側に取付けたリテイナー１４と組み合わされている。
【０００３】
図９はスライドプレート１３とリテイナー１４を組合わせた状態の詳細図である。図（ａ）は図７と同じ方向からスライドプレート１３とリテイナー１４を見た図であり、図（ｂ）は図（ａ）を上方から見た図であり、図（ｃ）は図（ａ）の断面図である。
【０００４】
スライドプレート１３は外側ブーム内側の上面１５及び側面１６との縦長の摺接面１７及び１８を有する四角柱形状をしている。
【０００５】
リテイナー１４はスライドプレート１３の摺接面１７及び１８を除く面２１、２２、２３、２４と接合する接合面２５、２６、２７、２８を備え、スライドプレート摺接面方向への開口部を有する箱型形状をしている。
【０００６】
スライドプレート１３に対するリテイナー１４の上下方向及び左右方向の接合面には上下方向シム３０及び左右方向シム３１が挿入可能されている。
【０００７】
上述した伸縮ブーム１０のスライドプレート構造では、内側ブーム基端上部両側に取付けたリテイナー１４に前記スライドプレート１３を組合わせた状態で、上下方向シム３０及び左右方向シム３１を適宜必要枚数挿入することにより外側ブーム内側の上面１５と対応するスライドプレート摺接面１７との隙間及び、外側ブーム内側の側面１６と対応するスライドプレート摺接面１８との隙間を調整するように構成されている。
【０００８】
リテイナー１４へのスライドプレート１３の固定方法は、ボルト３４、３５を用いるものである。すなわち、スライドプレート１３の摺接面１７及び１８にはボルト用の座ぐり穴３２、３３が明けられており、リテイナー１４の接合面２５、２６の対応する位置にはボルト用のタップ穴が明けられている。また、上下方向シム３０、左右方向シム３１の該当する位置には、当該ボルト用の穴があけられている。スライドプレート１３のボルト用の穴のうちの一方の穴３３は、上下方向シム３０の枚数変更に対応できるように上下方向の長穴となっている。
【０００９】
図９に示したように、ボルト３４をスライドプレート１３の穴３２と上下方向シム３０の穴に通してスライドプレート１３と上下方向シム３０を同時に締付け固定すると共に、ボルト３５をスライドプレートの長穴３３と左右方向シム３１の穴に通してスライドプレート１３と左右方向シム３１を同時に締付け固定するようになっている。
【００１０】
ところが、上述した第1の背景技術のスライドプレート取付構造では、スライドプレート１３には伸縮ブーム１０の伸縮動作によって繰り返し反力が加わることにより、固定ボルト３４、３５が緩んだり折損する恐れがあった。また、外れたボルトによりブームを損傷する恐れもあった。
【００１１】
図１０は他の伸縮ブームのスライドプレート取付構造として、第2の背景技術を示すものである（例えば、特許文献１参照。）。
【００１２】
特許文献１に記載されたスライドプレート取付構造では、上述した第１の背景技術と異なりリテイナーを全く用いず、せん断ピン７とビス５ｂのみによってブーム基端部上部のスライドプレート３ｂを取付けるものである。また、隙間調整は、Ｕ字状切欠きをもつシム６ｂを上方からブーム１とスライドプレート３ｂの間にはさみ込むようにしたものである。
【００１３】
この取付構造によれば、リテイナーを用いないので構造が簡単になる等の利点はあるものの、依然として固定用にビス５ｂを用いるため、ビスの緩みあるいは折損の恐れがあるものであった。また、スライドプレート３ｂは摺接面が一面しかないものであり、この取付構造は第１の背景技術のような２つの摺接面を持つスライドプレートには適用できないものであった。
【特許文献１】実公昭６１−１６３０６号公報（第１−２頁、第３図）
【発明の開示】
【発明が解決しようとする課題】
【００１４】
以上のように第１の背景技術及び第２の背景技術で説明したスライドプレート取付構造では、スライドプレート及びシムを取付ボルトあるいはビスで固定するものであるため、取付ボルトあるいはビスの緩みあるいは折損の恐れがあった。
【００１５】
また、２つの摺接面を備えたスライドプレートでは、リテイナーのみでスライドプレートを保持しようとすれば、シムの抜け出しを防止することが不可能であった
。
【００１６】
そこで、本発明は、２つの摺接面を備えたスライドプレートを取付ボルトを用いずに保持するようにするとともに、隙間調整用のシムの抜け出すことの無いスライドプレート取付構造を提供しようとするものである。
【課題を解決するための手段】
【００１７】
本願の請求項１に記載された伸縮ブームのスライドプレート取付構造は、外側ブームに内側ブームを順次伸縮可能に嵌挿した伸縮ブームの内側ブーム基端上部両側にそれぞれ配置され、外側ブーム内側の上面及び側面との縦長の摺接面を有する四角柱形状からなる一対のスライドプレートと、前記スライドプレートの摺接面を除く面との接合面を備え、スライドプレート摺接面方向への開口部を有する箱型形状からなり、前記内側ブーム基端上部両側にそれぞれ取付けられた一対のリテイナーと、前記スライドプレートとリテイナーの接合面に挿入可能とされた上下方向シム及び左右方向シムと、を備え、前記上下方向シム及び左右方向シムを適宜必要枚数挿入することにより外側ブーム内側の上面及び側面と対応するスライドプレート摺接面との隙間調整を行うよう構成したものを対象とする。
【００１８】
そして、前記リテイナーの接合面からスライドプレート側に向けて上下方向及び左右方向にシム保持用ピンを立設し、前記上下方向シム及び左右方向シムの対応位置には前記シム保持用ピンとの係合穴を設けると共に、前記スライドプレートには前記シム保持用ピンを回避する穴及び切欠きを設けたことを特徴とする。
【００１９】
さらに、本願の請求項２に記載された伸縮ブームのスライドプレート取付構造は、上記請求項１記載の構成に加えて、前記スライドプレートは、前記伸縮ブームに取付けられた時の伸縮ブーム長手方向に直交する断面が略長方形状であることを特徴とする。
【発明の効果】
【００２０】
本願の請求項１に記載された伸縮ブームのスライドプレート取付構造では、スライドプレートの前後方向の規制をリテイナーに備えた前後方向の接合面により行い、左右方向の規制をリテイナーの該当する接合面と外側ブーム内側の側面により行い、上下方向の規制をリテイナーの該当する接合面と外側ブーム内側の上面により行うようにすることにより、取付ボルト等を使うことなくスライドプレートを保持するようにしたので、取付ボルトの緩みあるいは折損が生じる恐れがなくなった。
【００２１】
また、リテイナーの接合面からスライドプレート側に向けて上下方向及び左右方向にシム保持用ピンを立設し、前記上下方向シム及び左右方向シムの対応位置には前記シム保持用ピンとの係合穴を設けることにより、スライドプレートの組立て時及び伸縮ブームの動作時において前記シムがシム保持用ピンによって保持されるようにしたので、組立て作業が容易となるとともに、伸縮ブームの動作時にシムが抜け出すという恐れも無い。
【００２２】
さらに、スライドプレートには前記シム保持用ピンを回避する穴又は切欠きを設けたので、スライドプレート組立て時にシム保持用ピンの存在が邪魔にならず、また伸縮ブームの動作時においても、スライドプレートはリテイナーによって保持されることとなり、スライドプレートがリテイナーとの隙間分移動することがあっても、スライドプレートとシム保持用ピンが干渉することが無い。
【００２３】
本願の請求項２に記載された伸縮ブームのスライドプレート取付構造では、請求項１記載の構成に加えて、前記スライドプレートは、前記伸縮ブームに取付けられた時の伸縮ブーム長手方向に直交する断面を略長方形状としたので、ブームの上面と側面が直角になるよう構成された伸縮ブームに本願発明のスライドプレート取付構造を適用できる。
【発明を実施するための最良の形態】
【００２４】
図１に本願発明を実施する伸縮ブーム４０の基端部を示す。伸縮ブーム４０はベースブーム４１にセカンドブーム４２が伸縮可能に嵌挿され、さらにセカンドブーム４２にサードブーム４３が伸縮可能に嵌挿されている。
【実施例】
【００２５】
図１に示したセカンドブーム４２の基端上部４２ａには本願発明に係るスライドプレート取付構造を用いたリテイナー４４が取付けられ、リテイナー４４にはスライドプレート４５が配置されている。
【００２６】
また、サードブーム４３の基端上部４３ａには本願発明に係るスライドプレート取付構造を用いたリテイナー４６が取付けられ、リテイナー４６にはスライドプレート４７が配置されている。
【００２７】
図２は図１のＢ矢視断面図である。ブーム４１、４２、４３の断面形状はブーム上板と側板が直交するものである。
【００２８】
図２に示されるように本願発明に係るスライドプレート取付構造が配置される空間の寸法関係が、ベースブーム４１とセカンドブーム４２とによって形成される部分と、セカンドブーム４２とサードブーム４３によって形成される部分では異なっている。そのため、セカンドブーム４２のリテイナー４４はセカンドブーム基端部４２ａの上板部分に取付けられており、サードブーム４３のリテイナー４６はサードブーム基端部４３ａの側板部分にサポート４８を用いて取付けられている。
【００２９】
ここで、リテイナー４４と４６及びスライドプレート４５と４７は本願請求項に記載された発明の構成を共に備えており、基本的に同一構成からなるものである。そのため、以下は、セカンドブーム基端上部４２ａに配置されたリテーナ４４とスライドプレート４５を例にその詳細な構成を説明する。
【００３０】
図３はスライドプレート４５を三方向から見た図である。（ａ）図は図１と同じ方向からスライドプレート４５を見たものであり、（ｂ）図は（ａ）図の平面図、（ｃ）図は（ａ）図の側面図である。
【００３１】
スライドプレート４５は、ベースブーム内側の上面４９との縦長の摺接面５１とベースブーム内側の側面５０との縦長の摺接面５２を有している。そして、摺接面５１、５２の反対の面５３、５４を有する全体として四角柱形状（略長方形状）となっている。
【００３２】
５５は後述するリテイナー４４に立設されたシム保持用ピンを回避するための穴であり、５６は同様にシム保持用ピンを回避するための切欠きである。スライドプレートの材質としては、ナイロン等の合成樹脂が用いられる。
【００３３】
図４はリテイナー４４を三方向から見た図である。（ａ）図は図１と同じ方向からリテイナー４４を見たものであり、（ｂ）図は（ａ）図の平面図、（ｃ）図は（ａ）図の側面図である。
【００３４】
リテイナー４４は、スライドプレート４５の摺接面５１、５２を除く４つの面との接合面５７、５８、５９、６０を備えている。１枚の板材を折り曲げと溶接により当該４つの接合面を構成しており、リテイナー全体としてはスライドプレート摺接面方向への開口部を有する箱型形状をしている。なお、リテイナー４４の対抗する接合面５９、６０間の寸法は、スライドプレート４５の長手方向の寸法よりもわずかに大きいものとされている。したがって、伸縮ブーム４０内部でリテイナー４４にスライドプレート４５が組付けられた状態でのスライドプレート４５の伸縮ブーム伸縮方向の保持は、リテイナー４４の前記２つの接合面５９、６０によりなされることとなる。
【００３５】
スライドプレート４５の摺接面５１、５２の反対側の面５３、５４と接合するリテイナー４４の接合面５７、５８には、スライドプレート側に向けて上下方向及び左右方向にシム保持用ピン６１、６２を立設している。シム保持用ピン６１、６２の接合面５７、５８からの突出量は、挿入されるシムの最大枚数及びその場合の掛り代を考慮して決定される。
【００３６】
図５は隙間調整用のシムを示しており、（ａ）図は上下方向シム６３を示しており、（ｂ）図は左右方向シム６４を示している。なお、図（ｂ）は図（ａ）の側面図、図（ｄ）は図（ｂ）の側面図である。
【００３７】
上下方向シム６３には、前記リテイナー４４の接合面５７に立設されたシム保持用ピン６１の対応する位置に係合穴６５が設けられている。同様に、左右方向シム６４には、前記リテイナー４４の接合面５８に立設されたシム保持用ピン６２の対応する位置に係合穴６６が設けられている。上下方向シム６３と左右方向シム６４には薄板の鋼板が用いられている。
【００３８】
図６はリテイナー４４、スライドプレート４５、上下方向シム６３及び左右方向シム６４を組合わせたものを三方向から見た図である。（ａ）図は図１と同じ方向から伸縮ブーム４０への取付姿勢を示すものであり、（ｂ）図は（ａ）図の平面図、（ｃ）図は（ａ）図の側面図である。なお、実際には、組付け時においてリテイナー４４はセカンドブーム基端上部４２ａに溶接等により取付けられているが、図６では説明の都合からリテイナー４４のみを取出し図示している。
【００３９】
組付けに当っては、まず上下方向シム６３の係合穴６５をリテイナー４４の保持用ピン６１に通し、リテイナー４４の接合面５７に接合するよう組付ける。また、同様に左右方向シム６４の係合穴６６をリテイナー４４の保持用ピン６２に通し、リテイナー４４の接合面５８に接合するよう組付ける。
【００４０】
この時に、上下方向シム６３と左右方向シム６４は、その係合穴６５と６６がリテイナー４４のシム保持用ピン６１と６２と係合しているため、それぞれリテイナーの接合面５７、５８との接合状態を保持するようになる。したがって、容易に適宜必要枚数の上下方向シム６３と左右方向シム６４をリテイナー４４に組付けることができる。
【００４１】
次にリテイナー４４に対し、その上方からスライドプレート４５を載置する。このとき、スライドプレート４５は穴５５により上下方向のシム保持用ピン６１との干渉が回避され、切欠き５６により左右方向のシム保持用ピン６２との干渉が回避される。スライドプレート４５の穴５５と切欠き５６はシム保持用ピン６１、６２に対して十分大きな寸法とされているので、伸縮ブーム４０内にスライドプレート４５が取付けられ、伸縮ブーム４０が伸縮動作してリテイナー４４に対してスライドプレート４５が隙間分相対変位しても、前記スライドプレート４５の穴５５と切欠き５６はシム保持用ピン６１、６２と干渉することは無い。
【００４２】
図２に示したように、スライドプレート４５はその前後方向をリテイナー４４の接合面５９、６０によって保持され、その左右方向をリテイナー４４の接合面５８とベースブーム４１の内部の側面５０に挟まれて保持され、その上下方向をリテイナーの接合面５７とベースブーム４１の内部の上面４９に挟まれて保持される。
【００４３】
以上のように全く取付用のボルトあるいはビス等を用いることなくセカンドブーム基端上部両側に一対のスライドプレート４５をそれぞれ配置することができる。したがって、従来のスライドプレート取付構造のような取付ボルト等の緩みあるいは折損の恐れが無くなる。
【００４４】
また、スライドプレート４５はベースブーム４１内側の上面４９及び側面５０との２面の摺接面５１、５２を備えたものでありながらも、上下方向シム６３及び左右方向シム６４はリテイナー４４のシム保持用ピン６１、６２に保持されるため、当該シムがリテイナー４４から抜け出す恐れがない。
【図面の簡単な説明】
【００４５】
【図１】本願発明を実施する伸縮ブーム４０の基端部である。
【図２】図１のＢ矢視断面図である。
【図３】スライドプレート４５を三方向から見た図である。
【図４】リテイナー４４を三方向から見た図である。
【図５】隙間調整用のシムである。
【図６】リテイナー４４等を組合わせたものを三方向から見た図である。
【図７】従来より知られている伸縮ブームのスライドプレート取付構造を説明する図である。
【図８】図７のＡ矢視図である。
【図９】スライドプレートとリテイナーを組合わせた詳細図である。
【図１０】特許文献１のスライドプレート取付構造である。
【符号の説明】
【００４６】
４０  伸縮ブーム
４１  ベースブーム（外側ブーム）
４２  セカンドブーム（内側ブーム）
４３  サードブーム
４４、４６  リテイナー
４５、４７  スライドプレート
４９  外側ブーム内側の上面
５０  側面
５１、５２  摺接面
５５  穴
５６  切欠き
５７、５８、５９、６０  接合面
６１、６２  シム保持用ピン
６３  上下方向シム
６４  左右方向シム
６５、６６  係合穴
【図１】
2005212922.tif 000003
【図２】
2005212922.tif 000004
【図３】
2005212922.tif 000005
【図４】
2005212922.tif 000006
【図５】
2005212922.tif 000007
【図６】
2005212922.tif 000008
【図７】
2005212922.tif 000009
【図８】
2005212922.tif 000010
【図９】
2005212922.tif 000011
【図１０】
2005212922.tif 000012